(57)【要約】【課題】本発明は、遊技場内のたばこの煙と臭いを減少し、併せて芳香を拡散し、快適な遊技空間を提供する方法と装置を提供することを目的とする。【解決手段】筒状の外枠１とその内面に支持板７が形成され、支持板７は、可動式吸殻受２の回動を支持すると共に可動式吸殻受２に設けられた吸殻の廃棄孔２ａと煙の通気孔群２ｂ双方の機能を司る開口部７ｂが形成されている。また可動式吸殻受２は、多層構造の収納ケース３と一体構造となり、着脱回動自在の収納ユニット１００を形成している。収納ケース３の各層には、破線で囲まれた電動ファン５ａや脱臭材１１及び芳香剤１４等の脱臭手段４ａと芳香手段６ａが具備されている脱臭と芳香の方法と装置を提供する。【選択図】図５
2008113927.tif 000002
【特許請求の範囲】
【請求項１】
筒状に形成された開口部を有する外枠と該外枠の開口上部の内側に凹部を形成する吸殻受と、該吸殻受には吸殻の廃棄孔とたばこの煙の通気孔を設け、該吸殻受の下部に電動式吸引装置と該電動式吸引装置の取り付け手段が具備されていることを特徴とする吸殻回収装置用灰皿における脱臭の方法と装置。
【請求項２】
筒状に形成された開口部を有する外枠と該外枠の開口上部の内側に凹部を形成する吸殻受と、該吸殻受には吸殻の廃棄孔とたばこの煙の通気孔を設け、該吸殻受の下部には電動式吸引装置と脱臭手段を設置する通気孔を有した筐体が具備されていることを特徴とする吸殻回収装置用灰皿における脱臭の方法と装置
【請求項３】
筒状に形成された開口部を有する外枠と該外枠の開口上部の内側に凹部を形成する吸殻受を設け、該吸殻受には吸殻の廃棄孔とたばこの煙の通気孔を設け、該吸殻受の下部には電動式吸引装置と脱臭手段と芳香手段を設置する通気孔を有した筐体が具備されていることを特徴とする吸殻回収装置用灰皿における脱臭と芳香の方法と装置
【請求項４】
前記外枠と電動式吸引装置と該電動式吸引装置の取り付け手段が一体構造で、吸殻回収装置用灰皿の設置板より着脱自在であることを特徴とする請求項１に記載の吸殻回収装置用灰皿における脱臭と芳香の方法と装置。
【請求項５】
前記外枠と吸殻受と筐体が一体構造で、前記吸殻回収装置用灰皿の設置板より着脱自在であることを特徴とする請求項２及び請求項３に記載の吸殻回収装置用灰皿における脱臭と芳香の方法と装置。
【請求項６】
前記吸殻受が、前記設置板に設置された外枠より着脱自在であることを特徴とする請求項１から請求項３に記載の吸殻回収装置用灰皿における脱臭と芳香の方法と装置。
【請求項７】
前記吸殻受と筐体が一体構造で、前記設置板に設置された外枠より着脱自在であることを特徴とする請求項２及び請求項３に記載の吸殻回収装置用灰皿における脱臭と芳香の方法と装置。
【請求項８】
前記吸殻受の裏面に、該吸殻受の回動を支持する支持面と該吸殻受に形成された廃棄孔と通気孔に各々対応するの開口部を有する支持板が形成されていることを特徴とする請求項４から７に記載の吸殻回収装置用灰皿における脱臭と芳香の方法と装置。
【請求項９】
前記吸殻受の裏面に形成された支持板の開口部が単一にて形成されていることを特徴とする請求項４から７に記載の吸殻回収装置用灰皿における脱臭と芳香の方法と装置。
【請求項１０】
前記筐体と一体構造を形成する吸殻受の回動により、該吸殻受に形成された廃棄孔が前記支持板の支持面により開閉が自在となることを特徴とする請求項５から請求項７に記載の吸殻回収装置用灰皿における脱臭と芳香の方法と装置。
【請求項１１】
前記支持板の開口部には前記筐体を収納可能な開口部と底面が閉塞された筒状の収納箱を設け、該収納箱の水平面には前記筐体の通気孔に対応した通気孔を有する仕切り板を設け、該仕切り板により形成された下部空間の側面には通気孔が形成され、前記収納箱の内周側面と前記筐体の外周側面は当接され、前記筐体の底面に形成された通気孔と前記仕切り板に形成された通気孔は密接された状態で収納され、前記筐体の底面に形成された通気孔が前記筐体と一体構造を形成する吸殻受の回動により、前記仕切り板に形成された通気孔を開閉自在にすることを特徴とする請求項４と請求項５及び請求項７に記載の吸殻回収装置用灰皿における脱臭と芳香の方法と装置。
【請求項１２】
前記吸殻受の表面上に前記吸殻回収装置の回収路より昇る煙対策用の遮蔽板を設け、該遮蔽板に芳香手段と該芳香手段の取り付け手段を有することを特徴とする請求項1から請求項７に記載の吸殻回収装置用灰皿における脱臭と芳香の方法と装置。
【発明の詳細な説明】
【技術分野】
【０００１】
本発明は、遊技場等の吸殻回収装置に設置される灰皿のたばこの煙と臭いに関するものである。
【背景技術】
【０００２】
パチンコ店等の遊技場には、喫煙者と非喫煙者が混在しており、非喫煙者にとって遊技場の空間は、決して快適な空間と言えるものではない。大半の遊技場には煙草の煙が充満しており、その臭いが髪の毛や衣服に染み込むと、とても不快なものとなり、なかなか除去できないものである。何より、たばこの煙は、健康を害するものであり、科学的データによると喫煙者が吸う主流煙より非喫煙者が吸うことになる副流煙に含まれる有害物質は、主流煙の約三倍にも及ぶという、非喫煙者にとっては、看過できない皮肉なデータがある。
【０００３】
このような状況にありながら、遊技場に設置されている卓上灰皿や最近普及している吸殻回収装置用の灰皿にもたばこの煙の臭いと副流煙の対策は殆んど為されていないのが現実である。
【０００４】
その要因は、このような所謂、ホールにおける環境問題が遊技場の利益や集客率の向上に直接関わるものでないことに加え、これらの問題を根本的に解決するのには相当の費用を要するということが少なからず影響しているようである。然しながら、今後は、たばこの臭いや副流煙による健康への被害を考慮した快適な空間を提供するということも、サービス業として不可欠な要素と成り得るであろう。
【発明の開示】
【発明が解決しようとする課題】
【０００５】
本発明は、遊技場内のたばこの煙と臭いを減少し、併せて芳香を拡散し、快適な遊技空間を提供する方法と装置を提供することを目的とする。
【課題を解決するための手段】
【０００６】
本発明の吸殻回収装置用の脱臭と芳香の方法と装置の解決手段を図１にて説明する。図１アは本発明の縦断面図である。筒状に形成された灰皿の外枠１とその内面には吸殻受２を設け、吸殻受２の下部には多層構造の収納ケース３が具備されている。収納ケース３の上層部４には芳香手段４ａが設けら、中層部５には吸気と排気を司るの電動ファン５ａが設置され、両層の側面３ａは、密閉されている。下層部６には、脱臭手段６ａと通気孔６ｂが設置されている。また収納ケース３の各層には芳香手段４ａ及び脱臭手段６ａが機能に応じて付加される構造となっている。図１イは、本発明の平面図である。吸殻受２には吸殻回収装置の吸殻回収路８と連通する吸殻の廃棄孔２aと煙の吸気用の通気孔群２ｂが設けられている。
【０００７】
次に図２の縦断面図にて本発明の説明をする。図２アは、吸殻受２と収納ケース３を一体構造で着脱及び回動自在の収納ユニット９とし、外枠１の内面に設けられた支持板７に装着される状態を示した図である。図２イは収納ユニット９が支持板７に装着された状態を示した図である。図２ウは収納ユニット９が支持板７に装着された状態の平面図である。図２エは外枠１の内面に設けられた支持板７の平面図である。支持板７にはたばこの煙の吸気口と吸殻の廃棄孔を兼ねた開口部7 aが形成されている。
【０００８】
次に図３により本発明を芳香装置として兼用する方法を説明する。図３アの縦断面図は外枠１の内面に形成された支持板７の開口部７ａの中央部に具備された収納ユニットホルダー１５に収納ユニット９を装着する状態を示したもので、図３イは、装着が完了した図である。図３アの収納ユニット８の底面４２には通気孔４２aが形成され、通気孔４２aは収納ユニットホルダー１５の空間を上下に分割する仕切り板１５ａに形成された通気孔１５ｂの開閉に対応した位置関係を有している。
【０００９】
図３ウは収納ユニットホルダー１５の仕切り板１５ａに形成された通気孔１５ｂと収納ユニット９の底板４２に形成された通気孔４２aが連通し、電動ファン５aの吸気が可能となる状態を示している。この状態の時は、脱臭と芳香機能を有する灰皿として使用する。図３エは収納ユニットホルダー１５の仕切り板１５ａに形成された通気孔１５ｂが、収納ユニット９の回動により底板４２の形成面により遮蔽され、電動ファン５aの作用と芳香手段４aの機能により芳香装置として使用する状態を示している。図３オは、この際の通気孔４２aと通気孔１５ｂの各々の位置関係を示した図である。
【００１０】
図４も前述の芳香装置として使用する方法を示したものである。図４アは収納ユニット９に具備された可動式吸殻受２の表面に遮蔽板１０を設け、さらに遮蔽板１０の表面上に芳香手段４ａを設置し、吸殻回収路８より立ち昇るたばこの煙の浸入を遮断している状態を示した縦断面図である。図４イは可動式吸殻受２に形成された廃棄孔２ａ及び通気孔群２ｂが遮蔽板１０により遮蔽されると共に芳香手段４ａにより芳香が拡散される状態を示した平面図である。
【発明の効果】
【００１１】
本発明により、遊技場に設置される吸殻回収装置に設置される灰皿近傍のたばこの煙を吸気すると共に、灰皿に具備された脱臭と芳香作用により、遊技場内の煙の量と臭いが大幅に減少し、快適な遊技空間が提供できる。
【発明を実施するための最良の形態】
【００１２】
次に本発明の吸殻回収装置用の脱臭と芳香の方法と装置の実施例を図５から図１５にて説明する。図５は本発明の斜視分解図である。この図が示すように本発明の灰皿の基本構造は、筒状で一端が閉塞された外枠１とその内面に支持板７が形成され、支持板７は、可動式吸殻受２の回動を支持すると共に可動式吸殻受２に設けられた吸殻の廃棄孔２ａと煙の通気孔群２ｂ双方の機能を司る開口部７ａが形成されている。また可動式吸殻受２は、多層構造の収納ケース３と一体構造を形成し、着脱回動自在の収納ユニット９を形成している。収納ケース３の各層には、破線で囲まれた芳香手段４ａや電動ファン５ａ及び脱臭手段６ａが設置されている。
【００１３】
可動式吸殻受２を時計回り及び反時計回りに回動し、可動式吸殻受２の切り欠き部１８に形成された縁端部１８ａ・１８ｂを外枠１の縁端部に形成された停止金具１９に当接することにより、停止金具１９に設置されたスイッチ１９ａの接点が閉じられることにより、収納ケース３に設置された電動ファン５ａが作動し、煙の吸気を開始する。
【００１４】
図６は本発明の装置の投影図である。図６アは可動式吸殻受２と収納ケース３が一体構造で、着脱自在の収納ユニット９を形成する状態を示している。前述の部品を一体構造にすることにより、装置の清掃や消耗品の交換等の保守が容易となる。図６イは、収納ユニット９を外枠１に装着した状態を示している。図６ウは収納ユニット９を外枠１より着脱する様子を示したものである。
【００１５】
図７は本発明の収納ユニット９の斜視分解図である。図７アは円筒状にて形成された多層構造の収納ケース３を可動式吸殻受２に装着し、回動自在の収納ユニット９を形成した状態を示したものである。収納ケース３の側面は、たばこの煙が漏れない材料にて形成されている。図７イは収納ケース３の分解図である。収納ケース３の内面には通気孔４０ａ・４１ａを有する仕切り板４０・４１が装着され、仕切り板４０にて形成された上層部には、仕切り板４０の表面に芳香手段４ａが設置され、その下部空間の中層部５にはたばこの煙の吸気を司る電動ファン５ａが設置されている。さらにその下部の下層部６には通気孔４２ａを有する底板４２が形成され、その表面上には、脱臭手段６ａが設置されている。
【００１６】
図８は本発明の斜視分解図である。図８アは外枠１の内面に設けられた支持板７に形成された吸殻の廃棄とたばこの煙の吸気を司る開口部７ａの中央部に収納ユニットホルダー１５が形成された状態を示したものである。収納ユニットホルダー１５の内面には通気孔１５ｂを有する仕切り板１５ａが設置され、収納ユニットホルダー１５を上下の空間に仕切っている。上部空間１５ｃは芳香手段４ａと脱臭手段６aを具備する収納ユニット９が着脱回動自在に収納される。下部空間１５ｄの底は閉塞され、その表面上には脱臭手段６ａが設置されている。また下部空間１５ｄの側面にはたばこの煙の排気を司る通気孔１５ｆが形成されている。図８イは円筒状に形成された着脱回動自在の収納ユニット９を収納ユニットホルダー１５に装着する状態を示したもので、図８ウは装着が完了した状態を示したものである。
【００１７】
図９は本発明の収納ユニット９の回動により脱臭芳香灰皿として使用する場合と芳香装置として使用する場合の回動前の準備状態を示している。図９アは本発明の投影組図である。図９イは収納ユニット９を収納ユニットホルダー１５に装着する方向を矢印にて示した縦断面図である。図９ウは可動式吸殻受２に形成された落下防止金具切り欠き部１６ｂ・１７ｂと対応した位置関係にある外枠１の内側縁端部に具備された吸殻受落下防止金具１６ａ・１７ａとを嵌入した状態を示している。図９エは、収納ユニット９に具備された収納ケース３の底板４２に形成された通気孔４２ａと収納ユニットホルダー１５に具備された仕切り板１５ａに形成された通気孔１５ｂが密接され、組み合わされた状態を示した縦断面図である。図９オは、前述の状態にある脱臭芳香灰皿内の通気孔４２ａと通気孔１５ｂの双方の位置関係を図９エの矢印Ｃよりの平面矢視図で示したもので、通気孔４２ａが前記仕切り板１５ａの支持面１５eにより、ほぼ遮蔽されている状態となっている。
【００１８】
図１０は本発明を芳香装置として使用する場合の手順と通気の状態を示したものである。図１０アは、本発明の収納ユニット９を所定の方向と角度に回動した状態の縦断面図である。図１０イは芳香装置として使用する場合の手順と通気状態を示した平面図である。図１０ウは、本発明の灰皿の通気状態を示した矢視平面図である。
【００１９】
図１０アの収納ユニット９は、外枠1の内面に形成された支持板７に具備された収納ユニットホルダー１５の開口部より装着された後、時計周りに所定の角度回動され停止した状態を示している。この際、収納ユニット９に具備された収納ケース３の底板４２に形成された通気孔４２ａと収納ユニットホルダー１５に具備された仕切り板１５ａに形成された通気孔１５ｂは密接かつ遮蔽された状態で装着されている。
【００２０】
図１０イは、前述の状態を示した平面図である。外枠１の内側縁端部に形成された吸殻受落下防止金具１６ａ・１７ａと収納ユニット９に具備された可動式吸殻受２に形成された落下防止切り欠き部１６ｂ・１７ｂは同じ位置関係にあり落下防止切り欠き部１６ｂ・１７ｂを吸殻受落下防止金具１６ａ・１７ａの位置に合わせて装着後収納ユニット９を時計回りに所定の角度を回動し、可動式吸殻受２に形成された切り欠き部１８の縁端部１８ａを外枠１の内側縁端部に具備された停止金具１９に当接することにより可動式吸殻受２に形成された吸殻の廃棄孔２ａが外枠１の内面に形成された支持板７の支持面７ｅにより遮蔽されると共に収納ユニット９に具備された収納ケース３の底板４２に形成された通気孔４２ａが収納ユニットホルダー１５に具備された仕切り板１５ａの支持面１５ｅに遮蔽される為に収納ユニット９の筐体内への回収路８からの煙の浸入を防止できることにより芳香のみが巡回し、本発明を芳香装置として使用することが可能となる。
【００２１】
図１０ウは、図１０イの縦断面図に表示のＣ矢視平面図である。前述の遮蔽状態にある底板４２に形成された通気孔４２ａと収納ユニットホルダー１５に具備された仕切り板１５ａに形成された通気孔１５ｂとの位置関係を示したものである。図１０エは、図１０ウの通気孔４２ａと通気孔１５ｂの各々の位置関係を示した矢視平面図である。
【００２２】
図１１は本発明を芳香装置として使用される脱臭芳香灰皿内の電動ファン５ａの吸気作用による芳香の流れを矢印Ａと表記し、その状況を示した縦断面図である。矢印Ａは、外枠１の内面に形成された収納ユニットホルダー１５に装着された収納ユニット９の可動式吸殻受２に形成された通気孔群２ｂを通り前記収納ユニット９に具備された脱臭ケース３の仕切り板４０・４１に形成された通気孔４０ａ・４１ａを通過する。その後、通気孔４２ａが通気孔１５ｂとの関係により遮蔽されている為に、下方への行き場が閉ざされ電動ファン５ａの作用と芳香手段４ａにより前述の流れを逆流しては繰り返し芳香を拡散することとなる。
【００２３】
図１２も前述の芳香装置として使用する方法を示したものである。図１２アは収納ユニット９に具備された可動式吸殻受２の表面に遮蔽板１０を設け、遮蔽板１０の表面上には芳香手段４ａを設置し、吸殻回収路８より立ち昇るたばこの煙の浸入を遮断している状態を示した縦断面図である。図１２イは可動式吸殻受２に形成された廃棄孔２ａ及び２ｂが遮蔽板１０により遮蔽されると共に芳香手段６ａにより芳香が拡散される状態を示した平面図である。
【００２４】
図１３は本発明を脱臭芳香灰皿として使用する場合の手順と通気の状態を示したものである。図１３アは、収納ユニット９を所定の方向と角度に回動した状態の縦断面図である。図１３イは芳香装置として使用する場合の手順と通気状態を示した平面図である。図１３ウは、脱臭芳香灰皿の通気状態を示した矢視平面図である。図１３エは、図１３ウの通気孔４２ａと通気孔１５ｂの各々の位置関係を示した矢視平面図である。
【００２５】
図１３アの収納ユニット９は、外枠1の内面に形成された支持板７に具備された収納ユニットホルダー１５に装着後、反時計周りに所定の角度を回動し、停止した状態を示している。この際、収納ユニット９に具備された収納ケース３の底板４２に形成された通気孔４２ａと収納ユニットホルダー１５に具備された仕切り板１５ａに形成された通気孔１５ｂは開放された状態で装着されている。
【００２６】
図１３イは、前述の状態を示した平面図である。外枠１の内側縁端部に形成された吸殻受落下防止金具１６ａ・１７ａと収納ユニット９に具備された可動式吸殻受２に形成された落下防止開口部１６ｂ・１７ｂは対応した位置関係にあり落下防止開口部１６ｂ・１７ｂを吸殻受落下防止金具１６ａ・１７ａの位置に合わせて装着後前記収納ユニット９を反時計回りに所定の角度を回動し可動式吸殻受２に形成された開口部１８の縁端部１８ｂを外枠１の内側縁端部に具備された停止金具１９に当接することにより可動式吸殻受２に形成された吸殻の廃棄孔２ａが外枠１の内面に形成された支持板７の開口部７ａの領域内に設置され吸殻の廃棄が可能となった状態を示している。その際、図１３アに記載の収納ユニット９に具備された収納ケース３の底板４２に形成された通気孔４２ａとこれに対応した位置関係にある収納ユニットホルダー１５に具備された仕切り板１５ａに形成された通気孔１５ｂが開放状態になることにより可動式吸殻受２に形成された通気孔群２ｂから仕切り板４０・４１及び底板４２に形成された通気孔４０ａ・４１ａ及び４２ａの各通気孔と収納ユニットホルダー１５の下部空間１５ｃに形成された通気孔１５ｆが開放された状態となることにより吸殻回収装置の回収路８まで連通され電動ファン５ａと脱臭手段６ａの作用によりたばこの煙の吸気と脱臭が可能な状態となり、脱臭芳香灰皿として使用することが可能となる。
【００２７】
図１３ウは、図１３イの縦断面図に表示のＣ矢視平面図である。前述の開放状態にある底板４２に形成された通気孔４２ａと収納ユニットホルダー１５に具備された仕切り板１５ａに形成された通気孔１５ｂとの位置関係を示したものである。図１３エは、図１３ウの通気孔４２ａと通気孔１５ｂの各々の位置関係を示した矢視平面図である。
【００２８】
図１４は脱臭芳香灰皿として使用される灰皿内に電動ファン５ａの吸気作用によるたばこの煙の流れを矢印Ｂと表記し、その状況を示した縦断面図である。矢印Ｂは、外枠１の内面に形成された脱臭芳香ユニットホルダー１５に装着した収納ユニット９の可動式吸殻受２に形成された通気孔群２ｂを通り、収納ケース３の仕切り板４０・４１・底板４２に各々形成された通気孔４０ａ・４１ａ・４２ａ及び収納ユニットホルダー１５に具備された仕切り板１５ａに形成された通気孔１５ｂを通過後、さらに収納ユニットホルダー１５の下部空間１５ｃに形成された通気孔１５ｆを経て、吸殻回収装置の回収路８へと吸気されることにより脱臭芳香灰皿として使用可能となる。
【００２９】
図１５は本発明の脱臭芳香灰皿を吸殻回収装置の回収路８の下部に設置した状態を示している。筒状で下端部が閉塞された外枠１を回収路８の底面８ｂに形成された通気孔８ａの領域外に設置し、外枠１の内面には、電動ファン５ａと脱臭手段６ａ具備した着脱自在の収納ケース３が支持板７により支持され設置されている。
【００３０】
矢印Ｂは、電動ファン５ａ吸気の作用による回収路８に篭った煙の流れを示したものである。矢印Ｂは回収路８の底面８ｂに形成された通気孔８ａを通り、脱臭手段６ａに吸着された後、仕切り板４０・４１に形成された通気孔４０ａ・４１ａを経た後、収納ケース３の底板４２により下方への行き場をなくし、収納ケース３の下層部６に設置された脱臭手段６ａに吸着される。煙を吸着した脱臭手段６ａは、収納ケース３の着脱により、必要に応じ適宜交換される。
【図面の簡単な説明】
【００３１】
【図１】脱臭芳香灰皿の縦断面図と平面図
【図２】収納ユニットの着脱を示した断面図と平面図
【図３】芳香装置として使用する場合の平面図と縦断面図
【図４】遮蔽版を使用した芳香装置の平面図と縦断面図
【図５】脱臭芳香灰皿の斜視分解図
【図６】収納ユニットの着脱に関わる投影図
【図７】収納ユニットの斜視分解図と着脱の投影図
【図８】収納ユニットホルダーの斜視分解図と着脱の投影図
【図９】脱臭芳香灰皿の回動前の状態を示した縦断面図と平面図
【図１０】芳香装置として使用する場合の平面図と縦断面図
【図１１】芳香装置の通気の状態を示した縦断面図
【図１２】遮蔽版を使用した芳香装置の平面図と縦断面図
【図１３】脱臭芳香灰皿として使用する場合の平面図と縦断面図
【図１４】脱臭芳香灰皿の通気の状態を示した縦断面図
【図１５】回収路に設置した脱臭灰皿の状態を示した縦断面図
【符号の説明】
【００３２】
１：外枠
１ａ：外枠底面
１ｂ：外枠側面
２：吸殻受
２ａ：廃棄孔
２ｂ：通気孔群
３：収納ケース
３ａ：収納ケース側面
４：収納ケース上層部
４ａ：芳香手段
５：収納ケース中層部
５ａ：電動ファン
６：収納ケース下層部
６ａ：脱臭手段
６ｂ：
６ｃ：通気孔
７：支持板
７ａ：開口部
８：回収路
８ａ：通気孔
８ｂ：回収路底面
９：収納ユニット
１５：収納ユニットホルダー
１５ａ仕切り板：
１５ｂ：通気孔
１５ｃ：上部空間
１５ｄ：下部空間
１５ｅ：仕切り板支持面
１５ｆ：通風孔
１６ａ：落下防止金具
１７ａ：落下防止金具
１６ｂ：落下防止金具用切り欠き部
１７ｂ：落下防止金具用切り欠き部
１８：切り欠き部
１８ａ：切り欠き部縁端部
１８ｂ：切り欠き部縁端部
１９：停止金具
１９ａ：スイッチ
２０：受皿
４０：仕切り板
４０ａ：通気孔
４１：仕切り板
４１ａ：通気孔
４２：底板
４２ａ：通気孔
矢印Ａ：芳香の流れ
矢印Ｂ：煙の流れ
矢印Ｃ：平面図矢視
【図１】
2008113927.tif 000003
【図２】
2008113927.tif 000004
【図３】
2008113927.tif 000005
【図４】
2008113927.tif 000006
【図５】
2008113927.tif 000007
【図６】
2008113927.tif 000008
【図７】
2008113927.tif 000009
【図８】
2008113927.tif 000010
【図９】
2008113927.tif 000011
【図１０】
2008113927.tif 000012
【図１１】
2008113927.tif 000013
【図１２】
2008113927.tif 000014
【図１３】
2008113927.tif 000015
【図１４】
2008113927.tif 000016
【図１５】
2008113927.tif 000017